【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構と
を具備したことを特徴とする撮像装置。
【請求項２】
前記第２発光手段による発光量を、前記第１発光手段の発光量より大きくすること
を特徴とする請求項１記載の撮像装置。
【請求項３】
前記ヒンジ機構を回動することにより、前記表示発光手段を、
前記第２発光手段を前記本体と対向して配置すると共に前記表示手段を前記本体と反対方向に配置した第１の状態と、
前記第２発光手段を撮像方向に前記本体と対向しないように配置すると共に前記表示手段を撮像方向の反対方向に配置した第２の状態と
に保持可能である
ことを特長とする請求項１又は２記載の撮像装置。
【請求項４】
前記撮像手段による撮像の際に前記第１発光手段と前記第２発光手段の少なくとも一方から光を照射させる制御手段をさらに具備したこと
を特徴とする請求項１記載の撮像装置。
【請求項５】
前記第１発光手段と前記第２発光手段のそれぞれについて、光を照射させるか否かを設定する設定手段を有し、
前記制御手段は、前記設定手段による設定に応じて、前記第１発光手段と前記第２発光手段を制御すること
を特徴とする請求項４記載の撮像装置。
【請求項６】
前記第１軸の回転位置を検知する第１検知手段と、
前記第２軸の回転位置を検知する第２検知手段とを有し、
前記制御手段は、前記第１検知手段と前記第２検知手段による検知に応じて、前記第１発光手段と前記第２発光手段を制御すること
を特徴とする請求項４記載の撮像装置。
【請求項７】
前記撮像手段による撮像される被写体までの距離を測定する距離測定手段を具備し、
前記制御手段は、前記距離測定手段によって測定された距離に応じて、前記第１発光手段と前記第２発光手段を制御すること
を特徴とする請求項４記載の撮像装置。
【請求項８】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記第１発光手段と前記第２発光手段のそれぞれについて、光を照射させるか否かを設定し、
この設定に応じて、前記第１発光手段と前記第２発光手段を制御すること
を特徴とする発光制御方法。
【請求項９】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記第１軸の回転位置と前記第２軸の回転位置とを検知し、
この検知された前記第１軸の回転位置と前記第２軸の回転位置に応じて、前記第１発光手段と前記第２発光手段を制御すること
を特徴とする発光制御方法。
【請求項１０】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記撮像手段による撮像される被写体までの距離を測定し、
この測定された距離に応じて、前記第１発光手段と前記第２発光手段を制御すること
を特徴とする発光制御方法。
【請求項１１】
第１発光手段と、
第２発光手段と、
画像を撮像する撮像手段と、
前記撮像手段による撮像の際に前記第１発光手段と前記第２発光手段の少なくとも一方から光を照射させる制御手段と、
前記第１発光手段と前記第２発光手段のそれぞれについて、光を照射させるか否かを設定する設定手段を具備し、
前記制御手段は、前記設定手段による設定に応じて、前記第１発光手段と前記第２発光手段を制御する
ことを特徴とする撮像装置。
【請求項１２】
第１発光手段と、
第２発光手段と、
画像を撮像する撮像手段と、
前記撮像手段による撮像の際に前記第１発光手段と前記第２発光手段の少なくとも一方から光を照射させる制御手段と、
前記撮像手段による撮像される被写体までの距離を測定する距離測定手段を具備し、
前記制御手段は、前記距離測定手段によって測定された距離に応じて、前記第１発光手段と前記第２発光手段を制御する
ことを特徴とする撮像装置。
【手続補正２】
【補正対象書類名】明細書
【補正対象項目名】０００５
【補正方法】変更
【補正の内容】
【０００５】
本発明の課題は、より使い勝手の良いストロボ発光をさせることが可能な撮像装置、発光制御方法を提供することにある。
【手続補正３】
【補正対象書類名】明細書
【補正対象項目名】０００６
【補正方法】変更
【補正の内容】
【０００６】
請求項１記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを具備したことを特徴とする撮像装置である。
【手続補正４】
【補正対象書類名】明細書
【補正対象項目名】０００７
【補正方法】変更
【補正の内容】
【０００７】
請求項２記載の発明は、前記第２発光手段による発光量を、前記第１発光手段の発光量より大きくすることを特徴とする請求項１記載の撮像装置である。
請求項３記載の発明は、前記ヒンジ機構を回動することにより、前記表示発光手段を、前記第２発光手段を前記本体と対向して配置すると共に前記表示手段を前記本体と反対方向に配置した第１の状態と、前記第２発光手段を撮像方向に前記本体と対向しないように配置すると共に前記表示手段を撮像方向の反対方向に配置した第２の状態とに保持可能であることを特長とする請求項１又は２記載の撮像装置である。
【手続補正５】
【補正対象書類名】明細書
【補正対象項目名】０００８
【補正方法】変更
【補正の内容】
【０００８】
請求項４記載の発明は、前記撮像手段による撮像の際に前記第１発光手段と前記第２発光手段の少なくとも一方から光を照射させる制御手段をさらに具備したことを特徴とする請求項１記載の撮像装置である。
【手続補正６】
【補正対象書類名】明細書
【補正対象項目名】０００９
【補正方法】変更
【補正の内容】
【０００９】
請求項５記載の発明は、前記第１発光手段と前記第２発光手段のそれぞれについて、光を照射させるか否かを設定する設定手段を有し、前記制御手段は、前記設定手段による設定に応じて、前記第１発光手段と前記第２発光手段を制御することを特徴とする請求項４記載の撮像装置である。
【手続補正７】
【補正対象書類名】明細書
【補正対象項目名】００１０
【補正方法】変更
【補正の内容】
【００１０】
請求項６記載の発明は、前記第１軸の回転位置を検知する第１検知手段と、前記第２軸の回転位置を検知する第２検知手段とを有し、前記制御手段は、前記第１検知手段と前記第２検知手段による検知に応じて、前記第１発光手段と前記第２発光手段を制御することを特徴とする請求項４記載の撮像装置である。
【手続補正８】
【補正対象書類名】明細書
【補正対象項目名】００１１
【補正方法】変更
【補正の内容】
【００１１】
請求項７記載の発明は、前記撮像手段による撮像される被写体までの距離を測定する距離測定手段を具備し、前記制御手段は、前記距離測定手段によって測定された距離に応じて、前記第１発光手段と前記第２発光手段を制御することを特徴とする請求項４記載の撮像装置である。
【手続補正９】
【補正対象書類名】明細書
【補正対象項目名】００１２
【補正方法】変更
【補正の内容】
【００１２】
請求項８記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記第１発光手段と前記第２発光手段のそれぞれについて、光を照射させるか否かを設定し、この設定に応じて、前記第１発光手段と前記第２発光手段を制御することを特徴とする発光制御方法である。
【手続補正１０】
【補正対象書類名】明細書
【補正対象項目名】００１３
【補正方法】変更
【補正の内容】
【００１３】
請求項９記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記第１軸の回転位置と前記第２軸の回転位置とを検知し、この検知された前記第１軸の回転位置と前記第２軸の回転位置に応じて、前記第１発光手段と前記第２発光手段を制御することを特徴とする発光制御方法である。
【手続補正１１】
【補正対象書類名】明細書
【補正対象項目名】００１４
【補正方法】変更
【補正の内容】
【００１４】
請求項１０記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記撮像手段による撮像される被写体までの距離を測定し、この測定された距離に応じて、前記第１発光手段と前記第２発光手段を制御することを特徴とする発光制御方法である。
請求項１１記載の発明は、第１発光手段と、第２発光手段と、画像を撮像する撮像手段と、前記撮像手段による撮像の際に前記第１発光手段と前記第２発光手段の少なくとも一方から光を照射させる制御手段と、前記第１発光手段と前記第２発光手段のそれぞれについて、光を照射させるか否かを設定する設定手段を具備し、前記制御手段は、前記設定手段による設定に応じて、前記第１発光手段と前記第２発光手段を制御することを特徴とする撮像装置である。
請求項１２記載の発明は、第１発光手段と、第２発光手段と、画像を撮像する撮像手段と、前記撮像手段による撮像の際に前記第１発光手段と前記第２発光手段の少なくとも一方から光を照射させる制御手段と、前記撮像手段による撮像される被写体までの距離を測定する距離測定手段を具備し、前記制御手段は、前記距離測定手段によって測定された距離に応じて、前記第１発光手段と前記第２発光手段を制御することを特徴とする撮像装置である。
【手続補正１２】
【補正対象書類名】明細書
【補正対象項目名】００１５
【補正方法】変更
【補正の内容】
【００１５】
本発明によれば、より使い勝手の良いストロボ発光をさせることができるようになる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】